(57)【特許請求の範囲】
【請求項１】
平行２本の支柱と、これらの支柱に昇降機構を介して上方の設置位置と下方の点検位置との間を昇降自在に支持される風力発電機と、この風力発電機と一体に昇降し発電された電力を充電する蓄電池と、この蓄電池と支柱上に固定される負荷装置との間に介設され風力発電機が設置位置にあるとき蓄電池と負荷装置とを電気的に接続する接触器と、を具備し、
前記風力発電機は、発電機本体と、これを支持する支持部材とを具備し、
前記昇降機構は、前記支柱と平行に上下方向に延びるように当該支柱に固定されるねじ棒と、前記支柱の下部に設けられ歯車機構を介して前記ねじ棒を回転させるハンドルと、前記支持部材に固着され前記ねじ棒に螺合するボールナットと、前記各支柱に上下方向に延びるように固定されるレールと、前記支持部材に固着され前記各レールに噛み合って昇降自在のスライダと、を具備することを特徴とする風力発電装置。
【請求項２】
前記２本のレールは、前記２本の支柱の相対向する内側面にそれぞれ固着され、
前記支持部材は、前記２本のレール間に位置して前記ボールナットを保持するベース板と、前記２本のレール間から側方へ延出するように前記ベース板に基端部が支持される平行一対の腕板と、を具備し、
前記スライダは、前記各腕板の外側面に上下に離れて２つずつ固定され、それぞれ外側に位置する前記レールに噛み合うことを特徴とする請求項１に記載の風力発電装置。
【請求項３】
前記支柱上には、前記蓄電池に接続される負荷装置としての照明灯が固着されることを特徴とする請求項１又は２に記載の風力発電装置。
【発明の詳細な説明】
【技術分野】
【０００１】
本発明は、街路灯などに電力を供給する風力発電装置に関し、特に、常時は支柱上の高所に配置される風力発電機の保守点検作業を地上において容易に行うことができる風力発電装置に係るものである。
【背景技術】
【０００２】
従来、保守・点検の際、風車を支柱の長さ方向に沿って低い位置まで下げ、作業を行ないやすくした風力発電装置として、特許文献１に記載されたものが知られている。この風力発電装置は、風車を取り付ける支柱の外面に支柱の上端から下方に適当長さ範囲に亘ってラックを取り付け、風車を支持して支柱に沿って昇降する昇降体にラックと噛合するピニオンを設けるとともに、ピニオンを駆動するモータを設けたものである。
【先行技術文献】
【特許文献】
【０００３】
【特許文献１】特開２０１１−９９３２６号公報
【発明の概要】
【発明が解決しようとする課題】
【０００４】
上記従来の風力発電装置は、電動モータによりピニオンを駆動して風車を昇降させるものであるが、本発明は、電力を用いることなく手動にて容易に風車を昇降させることができる風力発電装置を提供することを目的としている。
【課題を解決するための手段】
【０００５】
以下、添付図面の符号を参照して説明するが、本発明はこれに限定されるものではない。
上記課題を解決するための、本発明の風力発電装置１は、平行２本の支柱２と、これらの支柱２に昇降機構３を介して上方の設置位置と下方の点検位置との間を昇降自在に支持される風力発電機４と、この風力発電機４と一体に昇降し、発電された電力を充電する蓄電池５と、風力発電機４が設置位置にあるとき蓄電池５を負荷側に接続する接触器７と、を具備する。風力発電機４は、発電機本体８と、これを支持する支持部材９とを具備する。昇降機構３は、ねじ棒１０と、ねじ棒１０を回転させるハンドル１１と、ねじ棒１０に螺合するボールナット１２と、昇降をガイドするレール１３と、レール１３に噛み合って昇降自在のスライダ１４と、を具備する。ねじ棒は、支柱２と平行に上下方向に延びるように当該支柱２に固定される。ハンドル１１は、支柱２の下部に設けられ、歯車機構１７を介してねじ棒１０を回転させる。ボールナット１２は、支持部材９に固着され、ねじ棒１０に螺合する。レール１３は、各支柱２に上下方向に延びるように固定される。スライダ１４は、支持部材２に固着され、各レール１３に噛み合って昇降自在である。
【発明の効果】
【０００６】
本発明の風力発電装置１は、電力を用いることなく、手動にて、容易に風力発電機４を支柱２に沿って昇降させることができ、保守点検作業を地上において安全に行うことができる。
【図面の簡単な説明】
【０００７】
【図１】本発明に係る風力発電装置の正面図である。
【図２】図１の風力発電装置の側面図である。
【図３】図１の風力発電装置の平面図である。
【図４】図１のＩＶ部分の正面図である。
【図５】図１のＶ部分の側面図である。
【図６】図２のＶＩ部分の側面図である。
【図７】図２のＶＩＩ部分の側面図である。
【図８】図１の風力発電装置の拡大した平面図である。
【発明を実施するための形態】
【０００８】
図面を参照して本発明の実施の形態を説明する。
風力発電装置１は、平行２本の支柱２と、これらの支柱２に昇降機構３を介して上方の設置位置と下方の点検位置との間を昇降自在に支持される風力発電機４と、この風力発電機４と一体に昇降し、発電された電力を充電する蓄電池５と、この蓄電池５と電灯６のような負荷装置とのとの間に介設される接触器７と、を具備する。
【０００９】
風力発電機４は、発電機本体８と、これを支持する支持部材９とを具備する。昇降機構３は、ねじ棒１０と、ねじ棒１０を回転させるハンドル１１と、ねじ棒１０に螺合するボールナット１２と、昇降をガイドするレール１３と、レール１３に噛み合って昇降自在のスライダ１４と、を具備する。
【００１０】
２本のレール１２は、２本の支柱２の相対向する内側面にそれぞれ上下方向に延びるように固着される。ねじ棒１０は、支柱２と平行に上下方向に延びるように支柱２間に固定される。風力発電装置１の支持部材９は、２本のレール１３間に位置してボールナット１２を保持するベース板１５と、２本のレール１３間から側方へ延出するようにベース板１５に基端部が支持される平行一対の腕板１６と、を具備する。ボールナット１１は、ねじ棒１０に螺合する。
【００１１】
スライダ１４は、各腕板１６の外側面に上下に離れて２つずつ固定され、それぞれ外側に位置するレール１３に噛み合って昇降自在である。ハンドル１１は、支柱２の下部に設けられ、歯車機構１７を介してねじ棒１０を回転させる。
【００１２】
接触器７は、風力発電機４が上方の設置位置にあるとき、蓄電池５の出力端子を負荷側に接続する。
【００１３】
風力発電機４の保守点検時には、ハンドル１１によりねじ棒１０を回し、ねじ棒１０に螺合するボールナット１２により支持部材９もろとも風力発電機４を下方の点検位置へ降ろす。保守点検作業は、しばしば交通の妨げとなる高所作業車によらずに、地上において安全、迅速に行うことができる。点検終了後は、再びハンドル１１を回して風力発電機４を上方の設置位置へ戻す。
【符号の説明】
【００１４】
１      風力発電装置
２      支柱
３      昇降機構
４      風力発電機
５      蓄電池
６      電灯
７      接触器
８      発電機本体
９      支持部材
１０    ねじ棒
１１    ハンドル
１２    ボールナット
１３    レール
１４    スライダ
１５    ベース板
１６    腕板
１７    歯車機構
【要約】
【課題】手動にて容易に風車を昇降させることができる風力発電装置を提供する。
【解決手段】風力発電装置１は、平行２本の支柱２と、これに昇降機構３を介して上方の設置位置と下方の点検位置との間を昇降自在に支持される風力発電機４と、蓄電池５と、蓄電池５を負荷側に接続する接触器７とを具備する。風力発電機４は、発電機本体８と、これを支持する支持部材９とを具備する。昇降機構３は、ハンドル１１によって回転されるように支柱２に支持されるねじ棒１０と、支持部材９上にあってねじ棒１０に螺合するボールナット１２と、支柱２に沿って上下方向に延びるレール１３と、支持部材９上にあってレール１３に噛み合うスライダ１４とを具備する。ハンドル１１は、支柱２の下部に設けられ、歯車機構１７を介してねじ棒１０を回転させる。
【選択図】図１【図１】
0005927317.tif 000002
【図２】
0005927317.tif 000003
【図３】
0005927317.tif 000004
【図４】
0005927317.tif 000005
【図５】
0005927317.tif 000006
【図６】
0005927317.tif 000007
【図７】
0005927317.tif 000008
【図８】
0005927317.tif 000009